(57)【特許請求の範囲】
【請求項１】
駆動ブレードを押し出して締結具をワーク内に打ち込むための燃焼を起こす内燃式の動力源を備えた燃焼動力式締結具駆動工具において、
前記動力源を包囲するハウジングと、
前記ハウジング内に形成された燃焼室と、
前記燃焼室と流体連通するように前記ハウジング内に配設されたシリンダと、
前記駆動ブレードを有し、前記シリンダ内において前記シリンダの第１の端部にある初期位置と、前記シリンダの第２の端部にある駆動位置との間で往復移動できるように配設されたピストンと、
当該工具がワーク表面に接触していない時、前記燃焼室を外気に開放するガス制御手段と、
トリガーを有し、前記ハウジング内に配設されたトリガースイッチ組立体と、
前記トリガースイッチ組立体に連結され、前記燃焼室が外気からシールされるまで、前記燃焼室内の燃焼を防止する係止機構と、
前記トリガースイッチ組立体に連結され、締結具を駆動した後に前記ピストンが前記初期位置に復帰するまで、前記トリガーの押し込んだ状態からの解放後の前記係止機構による前記燃焼室の開放を遅らせる遅延手段とを具備し、
前記トリガースイッチ組立体は、オン位置とオフ位置との間で動作するトリガーを有し、
前記遅延手段は、前記ピストンが前記初期位置へ復帰するまで、前記トリガーの前記オン位置からオフ位置への復帰動作を遅らせるように形成されている、燃焼動力式締結具駆動工具。
【請求項２】
前記トリガースイッチ組立体が、前記トリガーと、トリガースイッチと、戻り付勢部材と、前記戻り付勢部材の作用を遅らせる空気式逆止弁とを具備する、請求項１に記載の燃焼動力式締結具駆動工具。
【請求項３】
前記空気式逆止弁が、前記トリガーに形成された空所と、前記ハウジングに固定され前記空所に係合するプランジャとを含み、前記プランジャが前記空所の内壁を拭うように係合するシール部材を含み、前記シール部材と前記空所との係合による摩擦が前記付勢戻り部材の作用に対抗して、前記トリガーのオフ位置への復帰が遅れるようになっている、請求項２に記載の燃焼動力式締結具駆動工具。
【請求項４】
前記シール部材が、前記プランジャの長手方向軸線に対して角度を有して突出するリップを有する、請求項３に記載の燃焼動力式締結具駆動工具。
【請求項５】
前記ガス制御手段が、ワーク接触部材により前記ハウジング内で往復移動する弁部材であり、前記弁部材が前記燃焼室を開放可能に外気からシールするように配設され、前記トリガースイッチ組立体が、オン位置とオフ位置の間で作動する前記トリガーを有し、前記遅延手段が、前記トリガーのオフ位置への動作を遅らせることにより、前記係止機構による前記弁部材の開放を遅らせるように形成されている、請求項１に記載の燃焼動力式締結具駆動工具。
【請求項６】
前記トリガースイッチ組立体が、前記トリガーと、トリガースイッチと、戻り付勢部材と、前記戻り付勢部材の作用を遅らせる空気式逆止弁とを具備する、請求項５に記載の燃焼動力式締結具駆動工具。
【請求項７】
前記空気式逆止弁が、前記トリガーに形成された空所と、前記ハウジングに固定され前記空所に係合するプランジャとを含み、前記プランジャが前記空所の内壁を拭うように係合するシール部材を含み、前記シール部材と前記空所との係合による摩擦が前記付勢戻り部材の作用に対抗して、前記トリガーのオフ位置への復帰が遅れるようになっている、請求項６に記載の燃焼動力式締結具駆動工具。
【請求項８】
駆動ブレードを押し出して締結具をワーク内に打ち込むための燃焼を起こす内燃式の動力源を備えた燃焼動力式締結具駆動工具において、
前記動力源を包囲するハウジングと、
前記ハウジング内に形成された燃焼室と、
前記燃焼室と流体連通するように前記ハウジング内に配設されたシリンダと、
前記駆動ブレードを有し、前記シリンダ内において前記シリンダの第１の端部にある初期位置と、前記シリンダの第２の端部にある駆動位置との間で往復移動できるように配設されたピストンと、
オン位置とオフ位置との間で動作するトリガーを有し、前記ハウジング内に配設され、前記動力源に連結され前記燃焼室内で点火させるトリガースイッチ組立体と、
前記トリガースイッチ組立体に連結され、前記燃焼室の外気への開放を制御する係止機構と、
前記係止機構に連結され、前記燃焼室を開放可能に外気からシールする弁組立体と、
前記トリガースイッチ組立体に連結され、締結具を駆動した後に前記ピストンが前記初期位置に復帰するまで、前記弁組立体による前記燃焼室の開放を遅らせる遅延手段と、を具備し、
前記遅延手段には空気式逆止弁が組み込まれ、該空気式逆止弁の作用は、前記トリガーのオン位置からオフ位置への復帰動作を前記ピストンが前記初期位置へ復帰するまで遅らせるために、前記トリガーの解放後、真空により補助される摩擦力をもたらす、燃焼動力式締結具駆動工具。
【請求項９】
駆動ブレードを押し出して締結具をワーク内に打ち込むための燃焼を起こす内燃式の動力源を備えた燃焼動力式締結具駆動工具において、
前記動力源を包囲する主室を有するハウジングと、
前記主室内に形成された燃焼室と、
前記主室内のシリンダおよびピストンであって、当該ピストンが当該シリンダの第２の端部の方へ駆動されるときに前記駆動ブレードを前記締結具の方へ駆動するように当該シリンダは当該ピストンを囲み、また、当該ピストンは、当該シリンダ内において当該シリンダの第１の端部にある初期位置と当該シリンダの第２の端部にある駆動位置との間を往復移動できるように形成される、シリンダおよびピストンと、
オン位置とオフ位置との間で動作するトリガーを有し、前記ハウジング内に配設され、前記動力源に連結され前記燃焼室内で点火させるトリガースイッチ組立体と、
前記燃焼室を開放可能に外気からシールする弁組立体と、
前記トリガースイッチ組立体および前記弁組立体に連結され、前記トリガーが前記オン位置から解放されるまで前記燃焼室を外気に開放することを防止する係止機構と、
前記トリガースイッチ組立体に連結され、前記トリガーの前記オン位置からの解放を遅らせ、前記締結具を駆動した後に前記ピストンが前記初期位置に復帰するまで、前記係止機構を介した前記弁組立体による前記燃焼室の開放を遅らせる遅延手段と、
を具備する燃焼動力式締結具駆動工具。
【請求項１０】
前記遅延手段が、前記トリガーの前記オフ位置への復帰を遅らせるようになっている、請求項９に記載の燃焼動力式締結具駆動工具。
【請求項１１】
前記トリガースイッチ組立体が、前記トリガーと、戻り付勢部材とを有し、
前記遅延手段が空気式逆止弁を含み、前記空気式逆止弁が、前記トリガーに形成された空所と、前記ハウジングに固定され前記空所に係合するプランジャとを含み、前記プランジャが前記空所の内壁を拭うように係合するシール部材を有し、前記シール部材と前記空所との係合による真空により増幅される摩擦が前記付勢戻り部材の作用に対抗して、前記トリガーのオフ位置への復帰が遅れるようになっている、請求項９に記載の燃焼動力式締結具駆動工具。
【発明の詳細な説明】
【０００１】
【発明の属する技術分野】
本発明は、可搬型燃焼動力式締結具駆動工具に関し、特に、燃焼に引き続く燃焼室の開放を遅らせて、ピストンが初期位置へ適正に復帰できるようにした燃焼動力式締結具駆動工具に関する。
【０００２】
【従来の技術】
締結具をワーク内に打込むために可搬型燃焼動力式締結具、例えば IMPULSE（商標名）が用いられる。この種の燃焼動力式締結具駆動工具は、例えば、米国特許第３２４５２号、４５２２１６２号、４４８３４７３号、４４８３４７４号、４４０３７２２号、５２６３４３９号に開示されており、これらを本明細書と一体のものとして参照する。同様の燃焼動力式釘打ち工具またはステープル打ち工具が、IMPULSE の商標名でイリノイ州所在の ITW-Paslode社から市販されている。
【０００３】
この種の燃焼動力式締結具駆動工具は、一般的に、ハウジング内に小型の内燃原動機を収納している。この原動機は、所謂燃料セルと称される加圧された燃料ガスにより動力を発生する。高出力のバッテリ電源式の電気分配装置により点火用スパークを発生させる。前記燃焼室内にはファンが配設されており、燃焼室内の燃焼を促進すると共に、燃焼により発生する排気ガスを効果的に掃気する。この原動機はピストンを有しており、該ピストンには前記シリンダ本体内に配設された長尺の硬質駆動ブレードが設けられている。
【０００４】
シリンダの周囲にはスリーブ状の弁部材が往復自在に配設されており、該弁部材は、リンク機構を介して、該リンク機構の先端に設けられたワーク当接部がワークに対して押圧されたときに燃焼室を閉じる。この押圧作用により、燃料軽量弁が作動して所定体積の燃料が燃焼室内に導入される。
【０００５】
トリガースイッチを引き込むと、導入された燃料ガスに点火して、ピストンおよび駆動ブレードが下動し、締結具に衝接して該締結具がワーク内に打ち込まれる。次いで、ピストンはシリンダ内の差圧により初期位置に復帰する。締結具は、ノーズ部に供給され適切な方向に向けられた状態で保持され、駆動ブレードによる衝接作用を待機している。
【０００６】
従来の燃焼動力式締結具駆動工具の１つの特徴は、ノーズ部がワークに対して押圧されるまで、トリガーを操作できないようにした点である。この構成が、燃焼室が閉じられるまで点火を遅らせるのである。適当なトリガー係止機構が米国特許第４４８３４７４号に開示されており、これを本明細書と一体のものとして参照する。米国特許第４４８３４７４号では、ノーズ部がワークに対して押圧され燃焼室が閉じられるまで、カムとレバーを具備する係止機構が、トリガーが押し込まれることを防止する。点火すると、トリガーが解放されるまで燃焼室は開くことができない。
【０００７】
【発明が解決しようとする課題】
燃焼動力式工具における近時の開発目的は、締結具をワーク内に打ち込むための力を増大させた高エネルギ工具の提供である。こうした工具には、ピストンが移動するシリンダを延長して、ピストン行程を長くしたものがある。また、燃焼室の容積を大きくしたものもある。こうした構成では、増大する燃焼室内やシリンダの表面積を可及的に小さくしようとしている。燃焼エネルギが増大しても、それに比例して冷却面が大きくならないので、ピストンを初期位置へ復帰させる差圧が大きくならず、ピストンの復帰動作が緩慢になってしまう。
【０００８】
工具が長くなりシリンダが長くなると、ピストンの復帰動作に要する時間が長くなる。比較的最近の高エネルギ燃焼動力式工具では、それまでの短いシリンダを有する工具と比較して、ピストンが初期位置に復帰するまでに二倍の時間を要するようになっている。ピストンが完全に初期位置に復帰するまで、点火できないことは言うまでもない。
【０００９】
燃焼動力式工具では、既述したように、ピストンが初期位置に復帰する前に、トリガースイッチが解放され、工具がワークから離反されたとき、前記リンク機構が燃焼室を開放することが可能な状態となる。燃焼室が開くと、ピストンの復帰動作を補助する差圧が消失する。一定の燃焼を得るためには、燃焼室の大きさは常に同じでなければならない。
【００１０】
従って、本発明の目的は、ピストンが初期位置に復帰するまで、燃焼室のシール状態を遅延させるように改良した燃焼動力式締結具駆動工具を提供することである。
【００１１】
本発明の目的は、ピストンが初期位置に復帰するまで燃焼室を閉じた状態に保持するように改良した燃焼動力式締結具駆動工具を提供することである。
【００１２】
本発明の目的は、トリガースイッチの解放を遅らせる機構により、係止機構への連結を通じて、ピストンが初期位置に復帰するまで燃焼室を閉じた状態に保持するように改良した燃焼動力式締結具駆動工具を提供することである。
【００１３】
本発明の他の目的は、初期位置へ戻るよりも容易に押し込みまたは作動させることができるトリガースイッチを特徴とする燃焼動力式締結具駆動工具を提供することである。
【００１４】
【課題を解決するための手段】
上述の目的を達成するために、本発明は、燃焼後にピストンが初期位置に戻るまで燃焼室の開放を遅らせる遅延装置を備えたことを特徴とする燃焼動力式締結具駆動工具を提供する。好ましくは、前記工具にはトリガーにより作動するトリガー係止機構を備えている。トリガー係止機構は燃焼後トリガーが解放されるまで燃焼室が意図せずに開いてしまうことを防止する。遅延装置は、トリガーのオン位置からオフ位置への動作を遅らせ、以て、ピストンが初期位置へ復帰するための時間を提供する。
【００１５】
より詳細には、本発明は、駆動ブレードを押し出して締結具をワーク内に打ち込むための燃焼を起こす内燃式の動力源を備えた燃焼動力式締結具駆動工具において、前記動力源を包囲するハウジングと、前記ハウジングの上方部に形成された燃焼室と、前記燃焼室と連通するように前記ハウジング内に配設されたシリンダと、前記シリンダ内において前記シリンダの第１の端部にある初期位置と、前記シリンダの第２の端部にある駆動位置との間で往復移動できるように配設され前記駆動ブレードを有するピストンと、前記燃焼室を繰り返し外気に開放するガス制御手段と、前記ガス制御手段に連結され、締結具を駆動した後に前記ピストンが前記初期位置に復帰するまで、前記燃焼室の開放を遅らせる遅延手段とを具備する燃焼動力式締結具駆動工具を要旨とする。
【００１６】
【発明の実施の形態】
図１、２を参照すると、燃焼動力式締結具駆動工具１０はハウジング１２を有している。ハウジング１２は、主室１４、燃料セル室１８およびハンドル部２０を含む。主室１４は内燃動力源１６を包囲している。燃焼セル室１８は主室１４に概ね平行に隣接配置されている。ハンドル部２０は、主室１４に対して燃料セル室１８の反対側から延びている。
【００１７】
主室１４の下端部２８つまり第１の端部からノーズ部２６が垂下されており、ノーズ部２６との係合点からハンドル部２０に対して概ね平行に締結具マガジン２２が設けられている。燃焼動力式締結具駆動工具１０に電力を供給するためのバッテリ（図示せず）が、ハウジング１２において締結具マガジン２２の反対側に設けられた中空部内に配設されている。
【００１８】
本明細書において、「下方」および「上方」との語は、図１、２に示すように燃焼動力式締結具駆動工具１０を使用する向きに配置した状態にて定義する。然しながら、本発明は適用例に応じて燃焼動力式締結具駆動工具１０を種々の向きにて使用することができる。主室の下端部２８に対して反対側の上端部３０つまり第２の端部には複数の吸気孔３２が形成されている。
【００１９】
好ましい実施形態において、周知となっているように燃焼室内に燃料を導入するために米国特許第５２６３４３９号に開示されているタイプの電磁弁型の燃料計量弁または噴射弁が設けられている。米国特許第５２６３４３９号を本明細書と一体をなすものとして参照する。加圧された液体炭化水素燃料、例えばＭＡＰＰが、燃料セル室１８内に配置された燃料セル内に含まれており、そして周知となっているように推進剤により加圧される。
【００２０】
主室１４の上端部３０にはシリンダヘッド３４が設けられており、該シリンダヘッド３４は燃焼室３６の上端を構成し、スイッチ３８、スパークプラグ４０、電動ファンモータ４２、Ｏリング４４の取付部を提供する。
【００２１】
モータ４２の電機子４８に連結された燃焼室ファン４６が、燃焼プロセス、冷却および掃気を促進するために燃焼室内に配置されている。ファンモータ４２はスイッチ３８により制御されている。
【００２２】
概ね円筒形の弁部材５０が、主室１４内に設けられている。弁部材５０は、主室１４内において、周知の態様にて弁リンク装置５４を用いてノーズ部２６に取り付けられたワーク接触部材５２により往復動作する。弁部材５０は、燃焼室３６内においてガス制御装置として作用し、燃焼室３６の側壁が前記弁部材により画成される。燃焼室３６の上端はＯリング４４に係合して、燃焼室の上端部をシールする（図２参照）。弁部材５０の下方部５６は、シリンダ本体５８に接している。シリンダ本体５８の上端部には、外Ｏリング６０が設けられている。外Ｏリング６０は弁部材５０の対応する部分６２に係合して（図２参照）、燃焼室３６の下端部をシールする。
【００２３】
シリンダ本体５８内にはピストン６４が往復動自在に配設されている。ピストン６４には締結具をワーク内に駆動または打ち込むための長尺の剛体より成る駆動ブレード６６が連結されている。シリンダ本体の下端部には、バンパー７０のための座６８が形成されている。バンパー７０は、ピストン６４の移動範囲の下限を画成する。シリンダ本体５８の反対側の端部には、ピストン６４の動作の上端を限定するリング７２が取着されている。
【００２４】
ハウジング１２のハンドル部２０内には、燃焼動力式締結具駆動工具１０の制御装置が配設されている。トリガースイッチ組立体７４が、トリガースイッチ７６、トリガー７８、および、付勢戻り部材８０を含んでいる。付勢戻り部材８０は、好ましい実施形態ではコイルバネである。トリガースイッチ７６の作用の下で、電気制御装置８２がスパークプラグ４０を励起する。
【００２５】
トリガー係止機構としてのカム連動装置８４が、トリガー７８をオフ位置（図１）とオン位置（図２）の間で作動させる。カム連動装置は、燃焼動力式締結具駆動工具１０がワークに対して押圧されるまでトリガーの作動を防止する。燃焼動力式締結具駆動工具１０がワークに押圧されることにより、ノーズ部２６が後退し、弁リンク装置５４により弁部材５０が上動し、燃焼室３６が閉じて外気から遮断される。
【００２６】
より詳細には、図１から図４を参照すると、カム連動装置８４は、トリガーブラケット８６を含んでいる。トリガーブラケット８６は、一端においてトリガー７８に取着され、他端において角度の付いた腕８８を有している。腕８８には横断方向の回動ピン９０が設けられている。
【００２７】
ピン９０には、概ね三角形の解除カム９２が係合している。解除カム９２には一端が開いたスロット９４が設けられている。スロット９４は、摺動自在にピン９０と係合する寸法にて形成されている。また、カム９２には貫通孔９６が設けられている。貫通孔９６は、回動ブッシュ９８およびカムローブ１００に相補形に係合する。図１を参照すると、燃焼室３６が外気に開くと、カムローブ１００は概ねＵ字形を呈するロッド１０２の一端に係合する。この係合により、トリガー７８が押されることを防止し点火を防止する。
【００２８】
図２を参照すると、Ｕ字型のロッド１０２が弁部材５０に連結されているので、前記弁部材により燃焼室３６が閉じると、ロッド１０２が弁部材と共に上動する。これにより、解除カム９２が前記ロッドを通過して移動するための隙間が形成される。解除カム９２が移動可能になると、トリガー７８を押し込み点火可能となる。この係止機構７４の詳細は米国特許第４４８３４７４号に開示されており、この米国特許を本明細書と一体のものとして参照する。
【００２９】
トリガー７８が引き込まれると、電気制御装置８２が信号を発生し、スパークプラグ４０のスパークギャップに放電が生じる。これにより燃焼室３６内に既に噴射されファン４６により蒸発または細分化されていた燃料が点火する。その燃焼圧によりピストン６４および駆動ブレード６６がシリンダ本体５８内を下動し、駆動ブレードが締結具に接触して、この技術分野において周知となっているように、該締結具を基体またはワーク内に押し込む。次いで、前記ピストンは、燃焼室のシールされた状態によりシリンダ内に部分的に維持されているシリンダ本体内の差圧により初期位置または作動可能位置に復帰する。図１、２に示すように、ピストンが初期位置に復帰する前に燃焼室３６がピストンが開くと差圧関係が消滅し、ビスとンが復帰できなくなる。
【００３０】
比較的長尺のシリンダ本体５８、または、長い燃焼室を有する高エネルギ燃焼動力型工具では、ピストン６４が初期位置に復帰するためには、余分に時間が掛かることを発見した。こうしたモデルにおいて、トリガー７８が解放されたときに、燃焼室が早期に開いてしまう可能性がある。図１、２から理解されるように、トリガー７８が押し込まれている間、Ｕ字形のロッド１０２は、燃焼室をシールする位置から下方に移動して弁部材５０を解放することができない。然しながら、トリガー７８が解放されると、解除カム９２が図１に示す位置に移動し、ロッド１０２が下動可能となり、燃焼室が開いてしまうことがある。
【００３１】
既述したように、ピストンが初期位置に復帰する前に燃焼室３６が開かないことが重要である。従って、本発明の重要な特徴は、燃焼室が開くことを遅らせる遅延装置を設けた点である。好ましい実施形態においてこれは、ピストン６４が完全に復帰するまで、押し込んだオン位置からのトリガー７８を解放を遅らせることにより達成される。
【００３２】
図３、４を参照すると、本発明の遅延装置１０４は、トリガー７８を図３に示すオフ位置に復帰させる復帰部材つまりコイルバネ８０の作用を遅らせる逆止弁として構成されている。この逆止弁は、トリガー７８に形成された円筒形の側壁１０８を有する空所１０６を含んでいる。プランジャ１１０が、その基端部１１２においてハウジング１２の支持部に固定されている。プランジャ１１０は、その先端部１１４において空所１０６と係合する。
【００３３】
好ましくは、プランジャ１１０はシール部材１１６を含んでいる。シール部材１１６は、先端部１１４に隣接させて設けられた環状溝１１８に固定されている。シール部材１１６は、摩擦嵌合および／または接着剤にて固定される。シール部材１１６は、好ましくは、所謂「Ｕカップ」シール部材であり、プランジャ１１０の長手の中心軸線に対して所定角度を以て傾斜して突き出して矢尻状に形成された外リップ１２０を有している。従って、リップ１２０は空所１０６の側壁１０８を拭うように係合し、コイルバネ８０の作用に対抗する摩擦力を発生し、トリガー７８がオフ位置へ復帰する動作を遅らせる。つまり、シール部材１１６は、トリガーがオン位置（図４）へは容易に移動できるがオフ位置（図３）へは復帰しにくくなるように、プランジャ１１０内に配設されている。
【００３４】
トリガー７８が押し込まれると、トリガー７８はプランジャ１１０の上に移動して、空所１０６から空気を押出し、シール部材１１６の後方の空間に比較的低圧の真空領域１２２が形成される。シール部材１１６は、ブナＮゴムまたはブチレンゴムから形成されるが、完全にはシールできないので、上記の真空は完全なものではなく真空領域１２２へ空気が漸次漏れ入ることなり、コイルバネ８０による付勢力のために、トリガー７８はオフ位置へ復帰することができる。シール部材１１６は完全なシールを提供する必要はなく、トリガー７８がオフ位置へ復帰することを阻害する程度の真空が形成されればよい。リップ１０２にグリースを適用して空所１０６内での移動を円滑にしてもよい。
【００３５】
好ましい実施形態において、ピストン６４が初期位置へ復帰するまで、トリガー７８のオフ位置への復帰を遅らせることのできる真空が領域１２２に形成されるように、プランジャ１１０および空所１０６は相対的な寸法にて形成されている。本発明の遅延装置１０４を燃焼動力式締結具駆動工具１０に組み込むことにより、従来の燃焼動力式締結具駆動工具と比較して、トリガー７８のオフ位置への復帰に要する時間が約二倍となった。本発明の遅延装置を備えることにより、トリガー７８がオン位置からオフ位置へ到達するために要する時間は約２００ミリ秒である。
【００３６】
【発明の効果】
本発明の空圧式遅延装置により、トリガーのオフ位置への復帰動作が充分に遅くなり、ピストンが初期位置へ復帰するまで燃焼室の開放動作が遅れる。
【００３７】
本発明は既述の実施形態に限定されず、本発明の範囲と精神とを逸脱することなく種々の変更、改良が可能であることは当業者の当然とするところである。
【図面の簡単な説明】
【図１】本発明実施形態による燃焼動力式締結具駆動工具の断面図であり、燃焼室は開放され、トリガーがオフ位置にある状態を示す図である。
【図２】図１と同様の燃焼動力式締結具駆動工具の断面図であり、燃焼室は閉じ、トリガーがオン位置にある状態を示す図である。
【図３】オフ位置にて示すトリガー組立体の断面図である。
【図４】オン位置にて示すトリガー組立体の断面図である。
【符号の説明】
１０…燃焼動力式締結具駆動工具
１２…ハウジング
１４…主室
１８…燃料セル室
２０…ハンドル部
３６…燃焼室
７４…トリガースイッチ組立体
７６…トリガースイッチ
７８…トリガー
８４…トリガー係止機構
１０４…遅延装置
１１０…プランジャ
１１６…シール部材
【図１】
0004312860.tif 000002
【図２】
0004312860.tif 000003
【図３】
0004312860.tif 000004
【図４】
0004312860.tif 000005